(57)【要約】      （修正有）【課題】傘骨及び傘布の連結固定を機械化し、製造効率を向上させ、使用寿命を高める傘骨及び傘布の連結機構を提供する。【解決手段】傘上部の傘骨及び傘布の金属嵌合体３を含み、金属嵌合体３はＵ字型シート材とし、二つの側壁３１には先端に向かって徐々に細くなる鋭角状の尖った端部３２を形成し、鋭角状の尖った端部３２は、傘布の接合辺を通過し互い違いに一つとなるよう組み合わせて密閉環状体を形成する。【選択図】図２
0003178170.tif 000002
【実用新案登録請求の範囲】
【請求項１】
傘骨及び傘布の連結機構であって、
傘上部の傘骨及び傘布の金属嵌合体を含み、
前記金属嵌合体は、Ｕ字型シート材とし、二つの側壁には鋭角を形成し、
前記傘骨は金属嵌合体の二つの前記側壁の間に位置され、二つの前記側壁の前記鋭角は前記傘布の接合辺を貫通し、互い違いに一つとなるよう組み合わせて密閉環状体が形成されることを特徴とする傘骨及び傘布の連結機構。
【請求項２】
前記Ｕ字型シート材の二つの側壁の鋭角は、それぞれ一つ及び一つ以上とすることを特徴とする請求項１に記載の傘骨及び傘布の連結機構。
【考案の詳細な説明】
【技術分野】
【０００１】
本考案は、傘の構造に係り、特に、傘の傘骨及び傘布の連結機構に関する。
【背景技術】
【０００２】
傘は人々の日常生活における必需品であり、現在の傘は種類も多様で、折り畳み傘やジャンプ傘等があるが、基本構造は同様に傘布及び傘骨により構成される。好ましい使用効果を得るために、傘布が傘骨に沿って一緒に折り畳みたり伸び縮みたりして、傘布及び傘骨が間隔をあけて共に連結固定されるのを確保しなければならない。
【０００３】
現在の傘布及び傘骨の連結方式は、針と糸を用いて人工的に傘布を傘骨に縫い付ける方法であるため、次のような欠点がみられる。
（１）傘骨及び傘布の連結箇所の寿命は限られる。糸が綿或いは繊維素材製であるため、傘を開いた時に、連結した糸は傘骨上の抵抗力を克服し、尚且つ傘布が外側に伸びようとする慣性力に対抗しなければならず、よって傘布は引っ張られて、始終傘骨にぴったり密着して形状を保持するが、長期的に使用すると糸は容易に磨耗されて切断し、使用効果に影響を及ぼす。
【０００４】
（２）傘骨及び傘布の各縫付箇所には何れも糸を傘骨の周囲に複数回巻き付けて縫い付けなければならず、このような縫付工程は傘布及び傘骨上で同時に行い、直接、傘布を傘骨上に縫付ける必要があるため、手作業となり、製作効率が悪い。
【０００５】
（３）人工作業であるため、人為的な要素による影響を受け易く、作業が良好でないなら、傘布面は美観に乏しいものとなり傘面の漏水問題も引き起こされ、傘布及び傘骨の固定が不安定となる。
【０００６】
上述の分析に鑑み、本考案者は公知の傘構造中における傘布及び傘骨の連結機構に対する研究と改善を行い、これによって本考案が誕生した。
【先行技術文献】
【特許文献】
【０００７】
【特許文献１】なし
【考案の概要】
【考案が解決しようとする課題】
【０００８】
そこで、本考案は、傘骨及び傘布の連結固定を機械化し、製造効率を向上させ、同時に連結箇所の使用寿命を効果的に高める傘骨及び傘布の連結機構を提供することを目的としている。
【課題を解決するための手段】
【０００９】
上述の目的を実現するために、本考案は次の解決手段を採用する。
【００１０】
傘骨及び傘布の連結機構は、傘上部の傘骨及び傘布の金属嵌合体を含み、該嵌合体はＵ字型シート材とし、二つの側壁には鋭角を形成し、該鋭角は傘布の接合辺を通過し互い違いに一つとなるよう組み合わせて密閉環状体を形成する。
【００１１】
上述のＵ字型シート材の二つの側壁の鋭角はそれぞれ一つ及び一つ以上とする。
【考案の効果】
【００１２】
上述の構成を採用した後、本考案の傘骨及び傘布の連結機構は、Ｕ字型シート材の嵌合体によって実現され、従来の傘構造にある針と糸での縫付けを代替するものであり、次の効果を備える。
【００１３】
まず、最初に打出機を用いて嵌合体による傘骨及び傘布の連結を実現し、生産効率を大幅にアップする。
【００１４】
次に、嵌合体は金属シート材製を採用し、傘骨及び傘布の連結を更に強固にするため、傘を開く動作を繰り返しても、傘を開く効果を確実に行なえ、簡単に摩損して開けなくなることもなく、使用効果を高められる。
【００１５】
更に、打出機工具を用いて機械化操作が行えるため、傘骨及び傘布の連結機能の安定性を確実にすることができる。
【図面の簡単な説明】
【００１６】
【図１】本考案の傘骨及び傘布の連結箇所を示す模式図である。
【図２】本考案の嵌合体の斜視図である。
【図３】本考案の嵌合体を嵌合した状態を示す斜視図である。
【考案を実施するための形態】
【００１７】
以下、本考案の実施の形態を図面に基づいて説明する。
【００１８】
図１乃至図３に示すとおり、本考案の開示する傘骨及び傘布の連結機構は、現有する傘構造に適用するものであり、傘布１及び傘骨２を固定するのに用いる。本考案の重要な特徴は、嵌合体３によって、傘布１及び傘骨２の連結を実施する点にある。
【００１９】
嵌合体３は、Ｕ字型のシート材とし、二つの側壁３１上には、鋭角３２を形成し、この箇所の二つの側壁３１の鋭角３２に、はそれぞれ二つを設置する。金属シート材であるため、嵌合体３は一列に並べた構造とし、並びに打出機に差し入れの操作が可能である。
【００２０】
実際に製造する場合は、傘構造は、８本の傘骨２を含み、対応する傘布１は、８枚の生地を合わせて一つになるよう縫い合わせ、８本の接合辺を形成する。傘骨２は、それぞれ傘布１の接合辺箇所に置き、打出機を用いて嵌合体３で傘骨２及び傘布１の接合辺箇所を抱えるように嵌め合わせると、傘骨２及び傘布１は一緒に固定連結される。
【００２１】
傘骨２は、嵌合体３の二つの側壁３１の間に位置し、二つの側壁３１の鋭角３２は、傘布１の接合辺を貫通して互い違いとなるよう組み合わされて一つになり密閉環状体が形成される（図３を参照）。
【００２２】
本考案は、Ｕ字型のシート材である嵌合体３を用いて傘骨２及び傘布１の連結を実現し、従来の傘構造にある針と糸での縫付けを代替するものである。まず、最初に打出機を用いて嵌合体３による傘骨２及び傘布１の連結を行うことで、大幅に生産効率をアップできる。次に、嵌合体３は金属シート材製を採用し、傘骨２及び傘布１の連結を更に強固にするため、傘を開く動作を繰り返しても、傘を開く効果を確実にし、簡単に摩損して開けなくなることもなく、使用効果を高めることができる。更に、打出機工具を用いて機械化操作が行えるため、傘骨２及び傘布１の連結機能の安定性を保証できる。
【００２３】
以上の実施例は、単に本考案の技術思想を説明したのみで実用新案登録請求の保護範囲を限定するものではない。よって、本考案で開示した技術思想に基づき技術手段の基礎上になされたいかなる変化や修正も全て本考案の保護範囲内に含まれるものとすることを明記する。
【符号の説明】
【００２４】
１：傘布
２：傘骨
３：（金属）嵌合体
３１：側壁
３２：鋭角
【図１】
0003178170.tif 000003
【図２】
0003178170.tif 000004
【図３】
0003178170.tif 000005
【手続補正書】
【提出日】平成24年7月3日(2012.7.3)
【手続補正１】
【補正対象書類名】実用新案登録請求の範囲
【補正対象項目名】全文
【補正方法】変更
【補正の内容】
【実用新案登録請求の範囲】
【請求項１】
傘骨及び傘布の連結機構であって、
傘上部の傘骨及び傘布の金属嵌合体を含み、
前記金属嵌合体は、Ｕ字型シート材とし、二つの側壁には先端に向かって徐々に細くなっていく鋭角状の尖った端部を形成し、
前記傘骨は金属嵌合体の二つの前記側壁の間に位置され、二つの前記側壁の前記鋭角状の尖った端部は前記傘布の接合辺を貫通し、互い違いに一つとなるよう組み合わせて密閉環状体が形成されることを特徴とする傘骨及び傘布の連結機構。
【請求項２】
前記Ｕ字型シート材の二つの側壁の鋭角状の尖った端部は、それぞれ一つ及び一つ以上とすることを特徴とする請求項１に記載の傘骨及び傘布の連結機構。
【手続補正２】
【補正対象書類名】明細書
【補正対象項目名】００１０
【補正方法】変更
【補正の内容】
【００１０】
傘骨及び傘布の連結機構は、傘上部の傘骨及び傘布の金属嵌合体を含み、該嵌合体はＵ字型シート材とし、二つの側壁には先端に向かって徐々に細くなっていく鋭角状の尖った端部を形成し、該鋭角状の尖った端部は傘布の接合辺を通過し互い違いに一つとなるよう組み合わせて密閉環状体を形成する。
【手続補正３】
【補正対象書類名】明細書
【補正対象項目名】００１１
【補正方法】変更
【補正の内容】
【００１１】
上述のＵ字型シート材の二つの側壁の鋭角状の尖った端部はそれぞれ一つ及び一つ以上とする。
【手続補正４】
【補正対象書類名】明細書
【補正対象項目名】００１９
【補正方法】変更
【補正の内容】
【００１９】
嵌合体３は、Ｕ字型のシート材とし、二つの側壁３１上には、鋭角状の尖った端部３２を形成し、この箇所の二つの側壁３１の鋭角状の尖った端部３２は、それぞれ二つ設置される。金属シート材であるため、嵌合体３は一列に並べた構造とし、並びに打出機に差し入れの操作が可能である。
【手続補正５】
【補正対象書類名】明細書
【補正対象項目名】００２１
【補正方法】変更
【補正の内容】
【００２１】
傘骨２は、嵌合体３の二つの側壁３１の間に位置し、二つの側壁３１の鋭角状の尖った端部３２は、傘布１の接合辺を貫通して互い違いとなるよう組み合わされて一つになり密閉環状体が形成される（図３を参照）。
【手続補正６】
【補正対象書類名】明細書
【補正対象項目名】００２４
【補正方法】変更
【補正の内容】
【００２４】
１：傘布
２：傘骨
３：（金属）嵌合体
３１：側壁
３２：鋭角状の尖った端部